(57)【特許請求の範囲】
【請求項１】
カートリッジケース内にディスク状記録媒体を回転自在かつ出し入れ自在に収納したディスクカートリッジであって、前記カートリッジケースが、前記ディスク状記録媒体を収納する側となる内面側を互いに対向させて組み合わされた上ハーフ及び下ハーフからなり、一つの側面に前記ディスク状記録媒体を出し入れするための開口部が形成され、前記ディスク状記録媒体を回転自在に収納するカートリッジケース本体と、前記開口部に前記ディスク状記録媒体の出し入れ方向にスライドさせて挿脱する蓋体とを具備するものにおいて、
前記上ハーフまたは前記下ハーフのいずれか一方に形成されたストッパ取り外し用孔と、該ストッパ取り外し用孔の内周部に薄肉部を介して一体的に形成されたストッパ固定部と、一端が前記ストッパ固定部に固定され、前記カートリッジケース本体内部に突出し、前記蓋体のスライドを阻止するストッパとを設けたことを特徴とするディスクカートリッジ。
【請求項２】
前記ストッパ固定部の外面にドライバの先端部に嵌合するドライバ嵌合溝が形成されたことを特徴とする請求項１に記載のディスクカートリッジ。
【請求項３】
前記上ハーフまたは前記下ハーフのいずれか他方に前記ストッパ固定部に対向する開口を設け、前記ストッパを前記カートリッジケース本体の外部から前記開口を介して前記ストッパ固定部に固定可能にしたことを特徴とする請求項１または請求項２に記載のディスクカートリッジ。
【請求項４】
前記ストッパの一端が前記ストッパ固定部に嵌合によって固定されたことを特徴とする請求項１〜請求項３のいずれか一項に記載のディスクカートリッジ。
【請求項５】
前記ストッパ固定部に貫通孔を設け、前記上ハーフまたは前記下ハーフのいずれか他方に前記ストッパ固定部に対向する開口を設け、前記ストッパが、前記ストッパ固定部の貫通孔を貫通する軸部及び該軸部の一端に形成され前記ストッパ固定部の外面における前記貫通孔の周囲の部分に当接する大径部を有するストッパ本体と、前記軸部に嵌合し前記ストッパ本体を前記ストッパ固定部に固定する固定部材とからなり、前記ストッパを前記カートリッジケース本体の外部から前記ストッパ取り外し用孔及び前記開口を介して前記ストッパ固定部に固定可能にしたことを特徴とする請求項１に記載のディスクカートリッジ。
【請求項６】
前記ストッパ本体が前記ストッパ固定部に対して前記軸部の軸線まわりに回転するのを阻止する回り止め手段を設けたことを特徴とする請求項５に記載のディスクカートリッジ。
【請求項７】
前記ストッパ固定部に第１嵌合部を設け、前記ストッパに前記第１嵌合部に嵌合する第２嵌合部を設け、前記第１及び第２嵌合部を前記回り止め手段としたことを特徴とする請求項６に記載のディスクカートリッジ。
【請求項８】
前記大径部の端面にドライバの先端部に嵌合するドライバ嵌合溝が形成されたことを特徴とする請求項５〜請求項７のいずれか一項に記載のディスクカートリッジ。
【請求項９】
前記ストッパが前記ストッパ固定部に一体的に形成されたことを特徴とする請求項１または請求項２に記載のディスクカートリッジ。
【発明の詳細な説明】
【０００１】
【発明の属する技術分野】
本発明は、カートリッジケース内にディスク状記録媒体を回転自在かつ出し入れ自在に収納したディスクカートリッジに関し、更に詳しくは、使用者がディスク状記録媒体をカートリッジケースから取り出した場合にその形跡が残るようにしたディスクカートリッジに関するものである。
【０００２】
【従来の技術】
ＤＶＤ（Ｄｉｇｉｔａｌ  Ｖｉｄｅｏ  Ｄｉｓｃ）プレーヤ等の情報記録媒体として、カートリッジケース内にディスク状記録媒体を回転自在かつ出し入れ自在に収納したディスクカートリッジが使用されている。そして、この種のディスクカートリッジとして、構造の簡素さや製造の容易さ等の点から、カートリッジケースが、ディスク状記録媒体を収納する側となる内面側を互いに対向させて組み合わされた上ハーフ及び下ハーフからなり、一つの側面に前記ディスク状記録媒体を出し入れするための開口部が形成され、前記ディスク状記録媒体を回転自在に収納するカートリッジケース本体と、前記開口部に前記ディスク状記録媒体の出し入れ方向にスライドさせて挿脱する蓋体とを具備するものが提案されている。
【０００３】
【発明が解決しようとする課題】
ところで、上述したディスクカートリッジでは、使用者がディスク状記録媒体を出し入れする際にディスク状記録媒体の記録面に傷が付いて読み取りエラーや書き込みエラーを起こすことがあり、その場合、その傷が使用者の行為によって付いたものであることを立証するのが極めて困難であり、製造者側の不利益になるという問題が生じることが考えられる。
【０００４】
本発明は、上述した問題点を解決するためになされたものであって、その目的は、カートリッジケース内にディスク状記録媒体を回転自在かつ出し入れ自在に収納したディスクカートリッジであって、使用者がディスク状記録媒体をカートリッジケースから取り出した場合にその形跡が残るようにしたものを提供することにある。
【０００５】
【課題を解決するための手段】
上述した目的を達成するために、請求項１の発明は、カートリッジケース内にディスク状記録媒体を回転自在かつ出し入れ自在に収納したディスクカートリッジであって、前記カートリッジケースが、前記ディスク状記録媒体を収納する側となる内面側を互いに対向させて組み合わされた上ハーフ及び下ハーフからなり、一つの側面に前記ディスク状記録媒体を出し入れするための開口部が形成され、前記ディスク状記録媒体を回転自在に収納するカートリッジケース本体と、前記開口部に前記ディスク状記録媒体の出し入れ方向にスライドさせて挿脱する蓋体とを具備するものにおいて、前記上ハーフまたは前記下ハーフのいずれか一方に形成されたストッパ取り外し用孔と、該ストッパ取り外し用孔の内周部に薄肉部を介して一体的に形成されたストッパ固定部と、一端が前記ストッパ固定部に固定され、前記カートリッジケース本体内部に突出し、前記蓋体のスライドを阻止するストッパとを設けたことを特徴とするものである。
【０００６】
また、請求項２の発明は、請求項１の発明において、前記ストッパ固定部の外面にドライバの先端部に嵌合するドライバ嵌合溝が形成されたことを特徴とするものである。
【０００７】
また、請求項３の発明は、請求項１または請求項２の発明において、前記上ハーフまたは前記下ハーフのいずれか他方に前記ストッパ固定部に対向する開口を設け、前記ストッパを前記カートリッジケース本体の外部から前記開口を介して前記ストッパ固定部に固定可能にしたことを特徴とするものである。
【０００８】
また、請求項４の発明は、請求項１〜請求項３のいずれかの発明において、前記ストッパの一端を前記ストッパ固定部に嵌合によって固定したことを特徴とするものである。
【０００９】
また、請求項５の発明は、請求項１の発明において、前記ストッパ固定部に貫通孔を設け、前記上ハーフまたは前記下ハーフのいずれか他方に前記ストッパ固定部に対向する開口を設け、前記ストッパが、前記ストッパ固定部の貫通孔を貫通する軸部及び該軸部の一端に形成され前記ストッパ固定部の外面における前記貫通孔の周囲の部分に当接する大径部を有するストッパ本体と、前記軸部に嵌合し前記ストッパ本体を前記ストッパ固定部に固定する固定部材とからなり、前記ストッパを前記カートリッジケース本体の外部から前記ストッパ取り外し用孔及び前記開口を介して前記ストッパ固定部に固定可能にしたことを特徴とするものである。
【００１０】
また、請求項６の発明は、請求項５の発明において、前記ストッパ本体が前記ストッパ固定部に対して前記軸部の軸線まわりに回転するのを阻止する回り止め手段を設けたことを特徴とするものである。
【００１１】
また、請求項７の発明は、請求項６の発明において、前記ストッパ固定部に第１嵌合部を設け、前記ストッパに前記第１嵌合部に嵌合する第２嵌合部を設け、前記第１及び第２嵌合部を前記回り止め手段としたことを特徴とするものである。
【００１２】
また、請求項８の発明は、請求項５〜請求項７のいずれかの発明において、前記大径部の端面にドライバの先端部に嵌合するドライバ嵌合溝が形成されたことを特徴とするものである。
【００１３】
また、請求項９の発明は、請求項１または請求項２の発明において、前記ストッパを前記ストッパ固定部に一体的に形成したことを特徴とするものである。
【００１４】
【発明の実施の形態】
以下、本発明の具体的な実施形態を図面を参照しながら説明する。
図１は本発明の一実施形態であるディスクカートリッジ１の平面図、図２はカートリッジケース本体３の後端部の左側面図、図３は上ハーフ５の平面図、図４はディスクカートリッジ１の一部拡大平面図、図５は図４のＡ−Ａ線断面図、図６は下ハーフ６の平面図、図７は上ハーフ５及び蓋体４を内面側から見た図、図８は図７のＢ部拡大図、図９は蓋体４の平面図、図１０は蓋体４を内面側から見た図、図１１は図９のＣ−Ｃ線矢視図である。
【００１５】
このディスクカートリッジ１は、記録再生機能を有するＤＶＤプレーヤに使用されるものであって、合成樹脂射出成形品のカートリッジケース２内に、両面に記録面を有するディスク状記録媒体Ｄ（図１２参照）が収納されている。図１に示すように、カートリッジケース２は、後端部側の側面にディスク状記録媒体を出し入れするための開口部３ａが形成され、ディスク状記録媒体Ｄを回転自在に収納するカートリッジケース本体３と、開口部３ａにディスク状記録媒体Ｄの出し入れ方向に挿脱する蓋体４とを具備している。
【００１６】
図２に示すように、カートリッジケース本体３は、ディスク状記録媒体Ｄを収納する側となる内面側を互いに対向させて超音波溶着やネジ止め等によって固定された上下のハーフ５、６からなり（図３、図６参照）、各ハーフ５、６には、ＤＶＤプレーヤの録再ヘッドがディスク状記録媒体Ｄと情報をやりとりするためのヘッドアクセス窓７及びディスク状記録媒体Ｄを回転させる駆動軸を挿入するための駆動軸挿入窓８が形成されている。また、カートリッジケース本体３の左側面における開口部３ａの近傍の位置には、上下のハーフ５、６の重ね合わせによって形成された矩形の係合孔部９が設けられている。
【００１７】
図１に示すように、カートリッジケース本体３には、ヘッドアクセス窓７及び駆動軸挿入窓８を開閉するシャッタ１０が取り付けられている。シャッタ１０は合成樹脂や金属等からなる断面コの字形の板状のもので、互いに対向する上下一対の開閉板１１、１１（一方のみ図示）と、これらの一端を互いに連結する前端壁１２とからなり、カートリッジケース本体３の前端縁３ｂに沿って摺動自在に取り付けられたスライダ（不図示）に前端縁３ｂを跨いだ状態で固定されており、左右両方向にスライドしてヘッドアクセス窓７及び駆動軸挿入窓８を開閉する。
【００１８】
図３に示すように、上ハーフ５の表面側には、シャッタ１０の一方の開閉板１１を収容する浅い凹部１３が形成されており、この凹部１３の後端側の辺の中央部には開閉板１１の端部の浮き上がりを防止する押さえ板１４が形成されている。また、上ハーフ５の後端縁の中央部には半円形の切欠部１５が形成されている。
【００１９】
上ハーフ５の後端部の右側には、円形のストッパ取り外し用孔１６が形成されており、その内部には、円盤状のストッパ固定部１７が同心状に設けられている。ストッパ固定部１７は上ハーフ５と一体的に形成され、図４に示すように、外周部が薄肉部１８〜２１を介してストッパ取り出し用孔１６の内周面に連結され、外面にプラスドライバの先端部に嵌合する十の字形のドライバ嵌合溝２２が形成されている。なお、ドライバ嵌合溝２２はマイナスドライバの先端部に嵌合する一の字形でもよく、ドライバ嵌合溝２２を設けずに、ストッパ固定部１７の外面をドライバ等で押圧することにより薄肉部１８〜２１を破断させるようにしてもよい。
【００２０】
図５に示すように、ストッパ固定部１７の内面には、合成樹脂からなり、カートリッジケース本体３内部を上下方向に貫通する円柱状のストッパ２３の一端が固定されている。そして、蓋体４には、カートリッジケース本体３に装着された状態においてストッパ取り出し用孔１６と同心になるように、上下方向に貫通した円筒状のストッパ収容孔２４が形成されており、下ハーフ６には、このストッパ収容孔２４に整合する円形の開口２５が形成されている。ストッパ２３は、ストッパ収容孔２４を貫通し、他端が開口２５内に収容されている。ストッパ２３によって蓋体４のスライドが阻止され、蓋体４がカートリッジケース本体３から取り外せないようになっている。
【００２１】
なお、ストッパ２３の他端は必ずしも開口２５にまで達している必要は無く、少なくとも上ハーフ５または下ハーフ６のいずれか一方と蓋体４に形成された孔の両方にまたがって位置していれば、蓋体４のスライドを阻止する機能を果たすことができる。
【００２２】
ストッパ２３は、カートリッジケース本体３内にディスク状記録媒体Ｄを収納し、カートリッジケース本体３に蓋体４を装着した後に、カートリッジケース本体３の外側から開口２５及びストッパ収容孔２４を介してストッパ固定部１７の内面に接着固定される。なお、この場合における接着固定とは、接着剤を使用した接着や超音波溶着、あるいはその他の方法により行われればよいものである。
【００２３】
このように、本実施形態では、ストッパ２３をカートリッジケース本体３の外側からストッパ固定部１７に取り付けることができるため、先に上ハーフ５と下ハーフ６を一体化してカートリッジケース本体３を形成してからディスク状記録媒Ｄをカートリッジケース本体３内に収納するという生産方法と、上ハーフ５と下ハーフ６を一体化する際にディスク状記録媒体Ｄを上ハーフ５と下ハーフ６の間に挟み込むという生産方法のいずれでも生産可能であり、顧客の要望や生産ラインの形態に柔軟に対応することができる。
【００２４】
なお、本実施形態では、上ハーフ５の外側を成形する金型におけるストッパ取り外し用孔１６を形成する部分が入れ子になっており、これを入れ替えてストッパ取り外し用孔１６を埋めることにより、ストッパ２３が取り外せない（即ち、ディスク状記録媒体を取り出せない）構造のディスクカートリッジにすることもできる。
【００２５】
図６に示すように、下ハーフ６の表面側には、シャッタ１０の他方の開閉板１１を収容する浅い凹部２６が形成されており、この凹部２６の後端側の辺の中央部には開閉板１１の端部の浮き上がりを防止する押さえ板２７が形成されている。また、下ハーフ６の後端縁の中央部には半円形の窪み２８が形成されており、その底面にはマット加工が施されている。
【００２６】
図７に示すように、上ハーフ５の内面には円弧状のリブ２９が形成されており、下ハーフ６の内面には、上ハーフ５と重ね合わせたときにリブ２９と整合してディスク状記録媒体Ｄを回転自在に収納するディスク収納室を形成する円弧状のリブ（不図示）が形成されている。また、図８に示すように、上ハーフ５の右側壁の内面には、後述する蓋体４の嵌合凸部３６に嵌合する垂直方向に延びる嵌合凹部３０が形成されている。
【００２７】
この実施形態では、蓋体４は、ディスク状記録媒体Ｄをカートリッジケース本体３に出し入れするための機能を有しており、図９に示すように、前端側にディスク状記録媒体Ｄの一端を受け入れる段差部３１を備え、段差部３１は、図１０に示すように、垂直方向に延び、ディスク状記録媒体Ｄの一端の外周面に対向し、かつ該外周面に沿うように円弧状に形成された周壁３１ａと、この周壁３１ａの下部から水平方向に向けて突出した一対の下部突出片３１ｂ、３１ｂとからなっている。周壁３１ａは、蓋体４をカートリッジケース本体３に装着したときに、図７に示すように、上ハーフ５の内面に設けられたリブ２９と整合して前記ディスク収納室の一部を形成する。
【００２８】
周壁３１ａの内面の上部の周方向中央部には水平方向に突出した半円形の上部突出片３２が形成されており、下部突出片３１ｂ、３１ｂはこの上部突出片３２と上下方向に重なり合わないように周壁３１ａの下部における上部突出片３２の両側の部位に形成されている。
【００２９】
図１１に示すように、下部突出片３１ｂの内面と上部突出片３２の内面との間隔ｄはディスク状記録媒体Ｄの厚さｔのほぼ二倍となっており、ディスク状記録媒体Ｄの一端が斜め下方に向いた状態にあるときには、ディスク状記録媒体Ｄの自重による傾きによって、ディスク状記録媒体Ｄの一端の上面が上部突出片３２の内面に当接し、ディスク状記録媒体Ｄの一端の下面における先端縁からほぼ下部突出片３１ｂの幅Ｗ（図９参照）分だけ内側に寄った位置が下部突出片３１ｂの前端縁に当接し、ディスク状記録媒体Ｄの一端が下部突出片３１ｂの前端縁を支点とする梃子として作用することによって、ディスク状記録媒体Ｄが蓋体４に支持されるようになっている。即ち、ディスク状記録媒体Ｄは、上面の一点と、下面における該一点の両側に位置する二点との計三点によって支持されるようになっている。
【００３０】
図９に示すように、上部突出片３２の上面には半円形のツマミ部３３が形成され、その表面には左右方向に延びる複数本の溝が刻設されている。また、上部突出片３２の前端部には内面側に向けて段状に落とし込んだ段差部３４が形成されており、蓋体４をカートリッジケース本体３に装着したときにこの段差部３４がカートリッジケース本体３の内部に入り込み、上ハーフ５の切欠部１５（図３参照）の内周面と上部突出片３２との間の隙間から埃等がカートリッジケース本体３内に侵入しないようにしている。
【００３１】
図９に示すように、蓋体４の左側縁には、蓋体４をカートリッジケース本体２に着脱自在に係止する係止アーム３５が設けられている。この係止アーム３５は蓋体４に一体的に形成されていて、蓋体４の側縁に沿って延び、一端が蓋体４につながり、他端が外方に向けて鈎状に曲がった可撓性を有する棒状の基部３５ａと、この基部３５ａの先端部に形成され、蓋体４の側縁から突出し、カートリッジケース本体３の係合孔部９に着脱自在に係合する係合部３５ｂとからなっている。また、蓋体４の後端部側の右側面には、図８に示すように、上ハーフ５の右側壁内面に形成された嵌合凹部３０に嵌合する垂直方向に延びる嵌合凸部３６が形成されている。
【００３２】
蓋体４をカートリッジケース本体３の開口部３ａに挿入すると、係合部３５ｂの先端がカートリッジケース本体３の側壁の後端部に当接して基部３５ａが内方に撓む。蓋体４が所定位置まで押し込まれると、図７に示すように、係合部３５ｂの先端が基部３５ａの弾発性によってカートリッジケース本体３の係合孔部９に係合し、さらに右側面に設けられた嵌合凸部３６が上ハーフ５の嵌合凹部３０にスナップ嵌合し、これによって蓋体４がカートリッジケース本体３に係止される。なお、この係止力は、衝撃等によって蓋体４がカートリッジケース本体３から容易に外れることはないように設定されている。
【００３３】
次に、上記のように構成したディスクカートリッジ１の使用方法について説明する。
ここでは、ディスク状記録媒体Ｄをカートリッジケース２から取り出す場合と、取り出したディスク状記録媒体Ｄを再びカートリッジケース２に収納する場合について説明する。
【００３４】
プラスドライバーの先端部をディスクカートリッジ１の後端部右側のストッパ取り外し用孔１６に挿入し、ドライバの先端部をストッパ固定部１７のドライバ嵌合溝２２に嵌合してドライバを回すと、薄肉部１８〜２１が破断し、ストッパ取り外し用孔１６を下方に向けることによってストッパ固定部１７をストッパ取り外し用孔１６から取り出すと、ストッパ固定部１７に伴ってストッパ２３も取り出される。これによって、蓋体４がスライド可能な状態となる。
【００３５】
次に、ディスクカートリッジ１の後端側を斜め下方に向け、係合部３５ｂの先端を指や先端の尖ったもので押し下げるかまたは押しながら蓋体４を挿入方向と逆の方向に少し引っ張ることにより係合部３５ｂと係合孔部９の係合を解除する。そして、蓋体４のツマミ部３３及び下ハーフ６の窪み２８に指をかけて蓋体４を引き出すと、蓋体４の左側がカートリッジケース本体３から引き出され、この状態で蓋体４を右側に少しひねると、蓋体４の右側面の嵌合凸部３６と上ハーフ５の嵌合凹部３０の嵌合が外れ、蓋体４がカートリッジケース本体３から離脱する。蓋体４の取り出しに伴って、ディスク状記録媒体Ｄも蓋体４とともにカートリッジケース本体３から取り出される。
【００３６】
カートリッジケース本体３にディスク状記録媒体Ｄを収納する場合には、図１１に示すように、蓋体４の後端側を下方に向けた状態で、ディスク状記録媒体Ｄの一端を段差部３１の下部突出片３１ｂと上部突出片３２の間に挿入すると、ディスク状記録媒体Ｄが自重によって傾いてディスク状記録媒体Ｄの下面が下部突出片３１ｂの内面に当接するとともに上面が上部突出片３２の内面に当接し、ディスク状記録媒体Ｄの一端が下部突出片３１ｂの前端縁を支点とする梃子として作用することによって、ディスク状記録媒体Ｄが蓋体４に保持される。
【００３７】
図１２に示すように、カートリッジケース本体３の開口部３ａ側を下方に向け、蓋体４に保持されたディスク状記録媒体Ｄの他端を開口部３ａに挿入し、蓋体４をディスク状記録媒体Ｄの記録面と平行な方向に移動させてカートリッジケース本体３内の所定位置まで押し込むと、蓋体４の係止アーム３５の係合部３５ｂがカートリッジケース本体３の係合孔部９に係合し、さらに蓋体４の嵌合凸部３６が上ハーフ５の嵌合凹部３０にスナップ嵌合して蓋体４がカートリッジケース本体２に係止される。
【００３８】
一度ディスク状記録媒体Ｄを取り出したディスクカートリッジ１は、薄肉部１８〜２１が破断しているため、容易に識別することができる。
【００３９】
次に、本発明の第２の実施形態を図１３、１４を参照しながら説明する。
なお、以下の各実施形態において、上記実施形態と同等の部分には同一の符号を付して説明を省略する。
図１３に示すように、本実施形態のストッパ３７は、円柱状の基部３８と、これの下端に形成された嵌合手段３９とを有しており、ストッパ固定部１７の内面には、嵌合手段３９に嵌合する円形の凹部１７ａが形成されている。
【００４０】
嵌合手段３９は、基部３８の中心線の延長線の両側に対称に形成され下方に向けて延びる一対の可撓性を有する伸延部４０、４０と、これらの下端部の外側面に形成された嵌合部４１とからなり、嵌合部４１、４１の下端部には斜めにカットされた傾斜面４１ａが形成されている。
【００４１】
ストッパ固定部１７の外面側に治具を当ててストッパ３７を下ハーフ６の開口２５から挿入すると、嵌合部４１、４１の傾斜面４１ａがストッパ固定部１７の凹部１７ａの開口縁に当接し、伸延部４０、４０がその弾発性に抗して内方に撓む。さらに、ストッパ３７を、嵌合手段３９の下端部が凹部１７ａの底面に当接するまで押し込むと、嵌合部４１、４１の傾斜面４１ａが凹部１７ａの縁を越え、嵌合部４１、４１の側面が伸延部４０、４０の弾発性によって凹部１７ａの内周面に押し付けられる。なお、凹部１７ａの内周面はややアンダカットになっており、凹部１７ａの内周径は内側に向かって連続的に小さくなっているため、嵌合手段３９は凹部１７ａから容易に抜けることがない。
【００４２】
このように、本実施形態では、ストッパ３７をストッパ固定部１７に固定する際に接着剤を使用しないため、ストッパ３７を簡単に取り付けることができ、取り扱い性が良い。また、すぐに次の工程に移行することができるため、生産性が向上する。
【００４３】
なお、上記実施形態では、ストッパ２３、３７とストッパ固定部１７を別体とし、ストッパ２３、３７をカートリッジケース２の外側からでも取り付け可能とした場合について説明したが、ディスクカートリッジの生産方法が、上ハーフ５と下ハーフ６を一体化する際にディスク状記録媒体Ｄを上ハーフ５と下ハーフ６の間に挟み込むものである場合には、ストッパをストッパ固定部１７に一体成形するようにしてもよい。このようにすると、部品点数が低減するため、製造工数及び製造コストが低減する。
【００４４】
次に、本発明の第３の実施形態を図１５〜図２１を参照しながら説明する。
図１５に示すように、本実施形態では、ストッパ固定部１７に円形の貫通孔４２がストッパ取り外し用孔１６と同心状に設けられ、図２１に示すように、下ハーフ６には、上ハーフ５に形成されたストッパ固定部１７に対向する部位に、貫通孔４２と同心状に円形の開口４３が設けられている。そして、ストッパ４４は、ストッパ固定部１７の貫通孔４２を貫通する円柱状の軸部４７（図１７参照）及びこの軸部４７の上端に形成されストッパ固定部１７の外面における貫通孔４２の周囲の部分に当接する円形の大径部４８を有するストッパ本体４５と、軸部４７に嵌合しストッパ本体４５をストッパ固定部１７に固定する有底円筒状の固定部材４６とからなっている。なお、固定部材４６は底部を有さない円筒状のものであってもよい。
【００４５】
図１５に示すように、ストッパ固定部１７の貫通孔４２の内周面には、上下方向に延びる複数本の溝４２ａ（第１嵌合部）が全周にわたってローレット状に刻設されている。図１７、１８に示すように、ストッパ本体４５の軸部４７の首部分には、この溝４２ａの断面形状に対応する断面形状を有し、溝４２ａに摺動自在に嵌合する上下方向に延びる複数本の凸条４７ａ（第２嵌合部）が全周にわたって形成されている。溝４２ａ及び凸条４７ａによって、ストッパ本体４５がストッパ固定部１７に対して軸部４７の軸線まわりに回転するのを阻止する回り止め手段が構成される。
【００４６】
また、図１６に示すように、大径部４８の端面には、ドライバの先端部に嵌合するドライバ嵌合溝４９が形成されている。固定部材４６は、その外径が開口４３の内径よりも小さく、図１９に示すように、軸方向に延びる断面円形の嵌合凹部４６ａを有しており、該嵌合凹部４６ａの内周径は、ストッパ本体４５の軸部４７が、ハンマや木槌、既存のプレス機等によって与えられる圧力によって嵌合し、かつ容易に抜けないように設定されている。
【００４７】
本実施形態では、カートリッジケース本体３内にディスク状記録媒体Ｄを収納し、蓋体４をカートリッジケース本体３に装着した後、ストッパ本体４５を上ハーフ５のストッパ取り外し用孔１６に挿入し、ストッパ本体４５の軸部４７をストッパ固定部１７の貫通孔４２に挿入し、軸部４７の凸条４７ａをストッパ固定部１７の溝４２ａに嵌合させる。そして、固定部材４６を下ハーフ６の開口４３を介してカートリッジケース本体３内に挿入し、嵌合凹部４６ａをストッパ本体４５の軸部４７に嵌合させる。これにより、図２０、２１に示すように、ストッパ４４がストッパ固定部１７に固定され、蓋体４が取り外せない状態となる。
【００４８】
蓋体４を取り外す場合は、ドライバーの先端部を上ハーフ５のストッパ取り外し用孔１６に挿入し、ストッパ４４のドライバ嵌合溝４９に嵌合させてドライバを回転させればよい。ストッパ本体４５の凸状４７ａがストッパ固定部１７の溝４２ａに嵌合しているため、ストッパ固定部１７がストッパ４４と一体的に回転して薄肉部１８〜２１が破断する。ストッパ取り外し用孔１６を下方に向けることによってストッパ４４及びストッパ固定部１７を取り出すと、蓋体４がスライド可能な状態となる。
【００４９】
なお、本実施形態では、回り止め手段が、ストッパ固定部１７の貫通孔４２の内周面全周にわたって形成された上下方向に延びる複数本の溝４２ａと、ストッパ本体４５の軸部４７の首部分全周にわたって形成され溝４２ａに摺動自在に嵌合する上下方向に延びる複数本の凸条４７ａとからなる場合について説明したが、回り止め手段は上記構成のものに限定されるものではなく、種々の変形例が考えられる。
【００５０】
例えば、凸条４７ａは必ずしもストッパ本体４５の軸部４７の首部分の全周にわたって形成する必要はなく、軸部４７の首部分の周方向の一部にのみ形成するようにしてもよい。また、軸部４７全体を多角柱状に形成し、貫通孔４２の横断面形状をこの軸部４７に摺動自在に嵌合する形状としてもよい。さらに、ストッパ取り外し用孔１６の内周部と薄肉部１８〜２１との間に位置する間隙Ｓ（図１５参照）を利用して、ストッパ４４にこの間隙Ｓに入り込む突起を形成し、該突起と間隙Ｓとによりストッパ４４がストッパ固定部１７に対して回転しないようにしてもよい。
【００５１】
また、ストッパ本体４５と固定部材４６がストッパ固定部１７を挟み込む力によりストッパ４４がストッパ固定部１７に対して回転しないようにしてもよく、あるいは、ストッパ４４をストッパ固定部１７に接着するようにしてもよい。さらに、ストッパ本体４５の大径部４８をストッパ取り外し用孔１６を封閉する大きさとして（図２２参照）、間隙Ｓからカートリッジケース本体３側に埃が侵入するのを防止するようにしてもよい。
【００５２】
また、本実施形態では、蓋体が、カートリッジケース本体に着脱すると、それに伴ってディスク状記録媒体がカートリッジケース本体に出入りするように形成された場合について説明したが、蓋体は、単にカートリッジケース本体の開口部を封閉する機能のみを有するものであってもよい。
【００５３】
【発明の効果】
以上説明したように、本発明によれば、使用者がディスク状記録媒体をカートリッジケースから取り出す場合には、薄肉部を破断してストッパ固定部及びストッパを取り外さなければならないため、使用者がディスク状記録媒体を取り出したことを示す形跡（薄肉部の破断）を残すことができる。
【００５４】
請求項２によるときは、ストッパ固定部の外面にドライバ嵌合溝を形成したことにより、ストッパ固定部及びストッパの取り外しが容易となる。
【００５５】
請求項３によるときは、上ハーフまたは下ハーフのいずれか他方にストッパ固定部に対向する開口を設け、ストッパをカートリッジケース本体の外部から開口を介してストッパ固定部に固定可能に成したことにより、あらかじめカートリッジケース本体を形成してからディスク状記録媒体をカートリッジケース本体内に収納するという生産方法も取ることができるため、顧客の要望や生産ラインの形態に柔軟に対応することができる。
【００５６】
請求項４によるときは、ストッパの一端を嵌合によってストッパ固定部に固定するようにしたことにより、接着剤を使用しないため、取り扱い性及び生産性が向上する。
【００５７】
請求項５によるときは、ストッパのストッパ固定部への固定に接着剤を使用しないため、取り扱い性及び生産性が向上する。また、ストッパをカートリッジケース本体の外部からストッパ固定部に固定可能に成したことにより、あらかじめカートリッジケース本体を形成してからディスク状記録媒体をカートリッジケース本体内に収納するという生産方法も取ることができるため、顧客の要望や生産ラインの形態に柔軟に対応することができる。
【００５８】
請求項８によるときは、ストッパの大径部の端面にドライバ嵌合溝を形成したことにより、ストッパ固定部及びストッパの取り外しが容易となる。
【００５９】
請求項９によるときは、ストッパがストッパ固定部に一体的に形成されたことにより、部品点数が低減するため、組立工数及び製造コストが低減する。
【図面の簡単な説明】
【図１】本発明の一実施形態であるディスクカートリッジ１の平面図。
【図２】カートリッジケース本体３の後端部の左側面図。
【図３】上ハーフ５の平面図。
【図４】ディスクカートリッジ１の一部拡大平面図。
【図５】図４のＡ−Ａ線断面図。
【図６】下ハーフ６の平面図。
【図７】上ハーフ５及び蓋体４を内面側から見た図。
【図８】図７のＢ部拡大図。
【図９】蓋体４の平面図。
【図１０】蓋体４を内面側から見た図。
【図１１】図９のＣ−Ｃ線矢視図。
【図１２】ディスクカートリッジ１の使用態様を示す斜視図。
【図１３】本発明の第２の実施形態のストッパ３７の側面図。
【図１４】図１３のストッパ３７をカートリッジケース本体３に装着した状態を示す断面図。
【図１５】本発明の第３の実施形態の上ハーフ５の一部拡大平面図。
【図１６】ストッパ本体４５の平面図。
【図１７】ストッパ本体４５の側面図。
【図１８】図１７のＤ−Ｄ線断面図。
【図１９】固定部材４６の側面図。
【図２０】ストッパ４４をカートリッジケース本体３に取り付けた状態を示す平面図。
【図２１】図２０のＥ−Ｅ線断面図。
【図２２】本発明の第４の実施形態の上ハーフ５の一部拡大平面図。
【符号の説明】
１  ディスクカートリッジ
２  カートリッジケース
３  カートリッジケース本体
３ａ  開口部
４  蓋体
５  上ハーフ
６  下ハーフ
１６  ストッパ取り外し用孔
１７  ストッパ固定部
１８〜２１  薄肉部
２３  ストッパ
Ｄ  ディスク状記録媒体（ディスク状記録媒体）
【図１】
0003571712.tif 000002
【図２】
0003571712.tif 000003
【図３】
0003571712.tif 000004
【図４】
0003571712.tif 000005
【図５】
0003571712.tif 000006
【図６】
0003571712.tif 000007
【図７】
0003571712.tif 000008
【図８】
0003571712.tif 000009
【図９】
0003571712.tif 000010
【図１０】
0003571712.tif 000011
【図１１】
0003571712.tif 000012
【図１２】
0003571712.tif 000013
【図１３】
0003571712.tif 000014
【図１４】
0003571712.tif 000015
【図１５】
0003571712.tif 000016
【図１６】
0003571712.tif 000017
【図１７】
0003571712.tif 000018
【図１８】
0003571712.tif 000019
【図１９】
0003571712.tif 000020
【図２０】
0003571712.tif 000021
【図２１】
0003571712.tif 000022
【図２２】
0003571712.tif 000023